(57)【特許請求の範囲】
【請求項１】
現在時刻を表示する第１の表示手段と、アラームセット状態ではアラーム時刻、アラーム非セット状態では現在時刻を表示する第２の表示手段と、アラームセット状態で現在時刻とアラーム時刻が一致すると報知する報知手段とを有する電子時計において、
アラームセット状態で外部操作スイッチを操作することでアラーム非セット状態になる解除操作と、アラーム非セット状態で外部操作スイッチを操作すると前記第２の表示手段がアラーム時刻まで復帰する再設定操作を有し、
前記解除操作又は前記再設定操作が完了したときに前記報知手段から報知信号が出力されることを特徴とする電子時計。
【請求項２】
前記解除操作と前記再設定操作が完了したときに報知される報知信号はそれぞれ異なることを特徴とする請求項１記載の電子時計。
【請求項３】
現在時刻を表示する第１の表示手段と、当該第１の表示手段と連動する第１のカウンタと、現在時刻またはアラーム時刻のいずれかを表示する第２の表示手段と、当該第２の表示手段と連動する第２のカウンタと、前記第１のカウンタと前記第２のカウンタとの一致を検出する時刻一致検出回路と、当該時刻一致検出回路からの検出信号により制御されるアラーム制御手段とを有し、前記第２の表示手段はアラーム設定状態ではアラーム時刻を表示し、アラーム非設定状態では現在時刻を表示する電子時計において、
前記第２のカウンタの内容を記憶するメモリー回路と、当該メモリー回路と前記第２のカウンタとの一致を検出するアラーム時刻一致検出回路と、当該アラーム時刻一致検出回路と前記時刻一致検出回路と外部スイッチとにより制御されるモード判定回路とを有し、当該モード判定回路はアラーム設定時に前記外部スイッチが操作されると前記第２の表示手段を現在時刻に一致させ、アラーム非設定時に外部スイッチが操作されると前記第２の表示手段を前記メモリー回路の記憶するアラーム時刻に一致させることを特徴とする電子時計。
【請求項４】
前記モード判定回路はアラーム設定時に前記外部スイッチが操作されると前記時刻一致検出回路が一致信号を出力するまで前記第２の表示手段を駆動し、アラーム非設定時に前記外部スイッチが操作されると前記アラーム時刻一致検出回路からの一致信号が出力されるまで前記第２の表示手段を駆動することを特徴とする請求項３記載の電子時計。
【発明の詳細な説明】
【０００１】
【産業上の利用分野】
本発明は複数の表示部を持つ時計表示に関するものである。
【０００２】
【従来の技術】
従来の複数の時刻表示手段をもつ電子時計について、本出願人は特願平６−８６１４８にてその具体的な構成例を開示している。そこで１つの表示が常に時刻を示し、もう１つの表示が時刻またはアラーム時刻を表示する場合を例にとり説明する。
図７は従来の複数の時刻表示手段をもつ電子時計の回路ブロック図であり、１は基準信号を発振する発振回路で、２は発振回路１の信号を分周する分周回路である。
３は分周回路２の信号を用いてモータ駆動用信号を作成する波形整形回路甲であり、４は波形整形回路甲３の信号を用いてモータを駆動するためのモータ駆動回路甲であり、５はモータ駆動回路甲４により駆動するモータ甲であり、６はモータ甲５により動作する指針甲である。
７は分周回路２の信号を用いてモータ駆動用信号を作成する波形整形回路乙であり、８は波形整形回路乙７の信号を用いてモータを駆動するためのモータ駆動回路乙であり、９はモータ駆動回路乙８により駆動するモータ乙であり、１０はモータ乙により動作する指針乙である。
１１はモータ甲が何回駆動したかを計測するカウンタ甲であり、１２はモータ乙が何回駆動したかを計測するカウンタ乙であり、１３はカウンタ甲１１とカウンタ乙１２の一致を検出するための一致検出回路であり、一致しているときは“Ｈ”レベル、そうでないときは“Ｌ”レベルの信号を出力する。
１４はアラームをセットするためのスイッチ甲であり、１５はスイッチ甲１４が１回送り操作されたことを検出する１回送り検出回路であり、１６はスイッチ甲１４が早送り操作されたことを検出する早送り検出回路である。
１７はアラームのセット・リセットを制御するアラーム制御回路であり、１８は音を発するアラーム手段である。
【０００３】
次に従来の複数の時刻表示手段をもつ電子時計の動作を、図７、図８、図９を用いて説明する。
まずイニシャライズとして指針甲６と指針乙１０の表示を一致させる必要がある。
指針甲６は、通常の時計と同様にリューズを引き、リューズを回転させることにより時刻を合わせる。
指針乙１０は、リューズを引いた状態でスイッチ甲１４を操作することにより、指針甲６と同じ時刻に合わせる。
指針甲６と指針乙１０の表示が一致した状態でリューズを元に戻すと、指針甲６と指針乙１０がともに通常の時計としての運針を始める。
と同時にカウンタ甲１１とカウンタ乙１２がリセットされ、リューズを元に戻してからの運針回数の計測を開始する。
と同時に一致検出回路１３はカウンタ甲１１とカウンタ乙１２の一致を検出し、“Ｈ”レベル信号を出力する。
アラーム制御回路１７は一致検出回路１３の立ち下がり信号によりセットされ、立ち上がり信号によりアラーム回路１８を駆動させるように構成されており、この時点ではまだセットされておらず、この立ち上がり信号でアラーム回路１８を駆動させることはない。
図８はこの状態の電子時計の外観図である。
次に指針乙１０をアラーム時刻に設定する場合について説明する。
スイッチ甲１４を短い時間押すと１回送り検出回路１５が作動し、波形整形回路７に信号が出力される。波形整形回路７ではこの信号をうけてカウンタ１２を１回歩進するとともにモータ駆動回路乙８にパルスを出力する。モータ駆動回路乙８はこのパルスをうけモータ９を回転させることにより指針１０を１ステップ動作させる。
ここでスイッチ甲１４を長い時間押し続けると早送り検出回路１６が作動し、上記と同様にして指針ならびにカウンタは早送りされる。
このようにして指針乙８をアラーム時刻に設定できる。
このときカウンタ乙１２のみがカウントアップされているので、一致検出回路１３は一致検出信号を出さなくなる。
また一致検出回路１３の立ち下がり信号により、アラーム制御回路１７がセットされる。
アラーム制御回路１７がセットされると、波形整形回路乙７はそれまでの通常運針用の信号出力をやめ、指針乙１０はその位置に停止する。
図９はこの状態の電子時計の外観図である。
この後時間が経過し指針甲６が指針乙１０と一致すると、カウンタ甲１１とカウンタ乙１２が一致し、一致検出回路１３が２つのカウンタの一致を検出して立ち上がり信号を出力する。
アラーム制御回路１７はこの立ち上がり信号を受けて動作し、アラーム回路を作動させアラームを鳴らす。
アラームが鳴ると波形整形回路７は再び信号を出力し始め、指針乙１０は再び指針甲６と同時刻を表示し続ける。
アラームをセットした状態でアラームをキャンセルしたいときはスイッチ甲１４を操作して指針乙１０を指針甲６と一致させると、カウンタ甲１１とカウンタ乙１２が一致し、一致検出回路１３が一致を検出しアラーム制御回路１７にリセットがかかりアラームがキャンセルされる。
アラームがキャンセルされると指針乙１０は指針甲６と同時刻を表示し続ける。
このように通常は指針甲６と指針乙１０の表示は一致したまま運針を行っており、指針乙１０の表示をスイッチ甲１４により指針甲６と別の時刻を表示させることによりアラームをセットし、指針乙１０はその時刻を表示したまま運針をやめ、指針甲６の表示が指針乙１０の表示と同時刻になるとアラームが鳴り、再び指針乙１０は指針甲６の表示と一致したまま運針を行う。
またアラームのキャンセルは、スイッチ甲１４により指針乙１０の表示を指針甲６の表示と一致させることにより行う。
【０００４】
【発明が解決しようとする課題】
上記のような電子時計はアラームセット後に指針甲が指針乙と一致し、アラームを鳴鐘すると、その後は指針乙が指針甲と一致したまま現在時刻を表示し続けるため再びアラームが鳴ってしまうことがなく、タイマー的に使用する場合には大変便利であった。しかしながらアラームをセット後にキャンセルするためには、指針乙を指針甲と一致させるまでの間ずっと早送り操作を行なわなければならず、煩わしさがあり、その上送り過ぎる可能性もあった。またアラーム報知後同じ時刻にアラームセットする場合にも同様に早送り操作を行なわなければならなかった。
【０００５】
そこで特開平２−２５７９１号公報には送り過ぎを防止するため早送り中にアラーム用の指針と現在時刻が一致すると、アラームセットの早送り修正が中止される技術が開示されている。さらに上記特許には、現在時刻とアラーム時刻が一致し、アラームを鳴鐘した後アラームＡモードと、アラーム鳴鐘後アラーム機能を解除せず再び現在時刻とアラーム時刻が一致するとアラームを鳴鐘させるアラームＢモードの２つのアラームモードを持ち、これらを切り替えることにより、２種類のアラームを使い分けることができるようになっている。
しかしながら上記特許でもセットしたアラーム時刻をキャンセルするためにはやはり一致するまでの間ずっとスイッチ操作を行なわなければならなかった。
本発明は上記問題点を解決し、簡単な構成でアラームの解除、再設定が容易に行なえる電子時計を提供することを目的とする。
【０００６】
【課題を解決するための手段】
上記目的を達成するために本発明は、現在時刻を表示する第１の表示手段と、アラームセット状態ではアラーム時刻、アラーム非セット状態では現在時刻を表示する第２の表示手段と、アラームセット状態で現在時刻とアラーム時刻が一致すると報知する報知手段とを有する電子時計において、
アラームセット状態で外部操作スイッチを操作することでアラーム非セット状態になる解除操作を有することを特徴とする。
【０００７】
以下に本発明の実施例の構成を図１、図２を用いて説明する。
図１は、本発明に係わる電子時計の回路図ブロック図であり、図７と同じ要素には同じ番号を付して説明は省略する。
１９は指針乙１０の表示モードを変更させるためのスイッチ乙であり、２０はカウンタ乙の内容を記憶するためのメモリー回路である。２１はカウンタ甲１１とカウンタ乙１２が一致している間一致検出信号を出力する時刻一致検出回路であり、２２はカウンタ乙１２とメモリー回路２０が一致している間一致検出信号を出力するアラーム時刻一致検出回路である。２２は指針乙１０が現在時刻またはアラーム設定時刻のどちらを表示しているかを判定するモード判定回路である。
図２はモード判定回路２３の構成図である。２４、２５、２７は立ち上がり信号で動作するデータタイプフリップフロップ（以下Ｄ−Ｆ／Ｆ）であり、２６は立ち下がり信号で動作するトグルタイプフリップフロップ（以下Ｔ−Ｆ／Ｆ）であり、２８はオアゲートであり、２９と３０はインバータである。
【０００８】
次に本発明の実施例の動作を図１、図２、図３、図４、図５、図６を用いて説明する。
図３は通常のアラームセットを表すタイムチャートであり、図４はアラームキャンセルを表すタイムチャートであり、図５はアラームリピートを表すタイムチャートであり、図６はアラーム設定時の外観図である。
まず指針乙１０をアラーム時刻に設定する場合について説明する。図３のｔ１の領域は指針甲６と指針乙１０がともに１分運針している状態である。
スイッチ甲１４を短い時間押すと１回送り検出回路１５が作動し、波形整形回路７に信号が出力される。波形整形回路７ではこの信号をうけてカウンタ１２を１回歩進するとともにモータ駆動回路乙８にパルスを出力する。モータ駆動回路乙８はこのパルスをうけモータ９を回転させることにより指針乙１０を１ステップ動作させる。また同時にスイッチ甲１４を１度でも操作するとＴ−Ｆ／Ｆ２６にセットがかかり、Ｔ−Ｆ／Ｆ２６のＱ出力は“Ｈ”になり、モード判定回路２３はアラームモードになる。図３のｔ２の領域はこの状態を表している。
ここでスイッチ甲１４を長い時間押し続けると早送り検出回路１６が作動し、上記と同様にして指針ならびにカウンタは早送りされる。図３のｔ３の領域はこの状態を表している。スイッチ甲１４の操作を終了するとメモリー回路２０にそのときのカウンタ乙１２の内容が保持される。
このようにして指針乙８をアラーム時刻に設定できる。
図６はこの状態の電子時計の外観図である。
モード判定回路２３がアラームモードになると、波形整形回路乙７はそれまでの通常運針用の信号出力をやめ指針乙１０はその位置に停止し、波形整形回路甲３のみが運針用の信号出力をし指針甲６のみが１分運針をする。図３のｔ４の領域はこの状態を表している。
この後時間が経過し指針甲６が指針乙１０と一致すると、時刻一致検出回路甲２１が２つのカウンタの一致を検出して“Ｈ”を出力する。この時刻一致検出回路２１の立ち上がり信号によってＤ−Ｆ／Ｆ２７はＴ−Ｆ／Ｆ２６のＱ出力の“Ｈ”を読み込み“Ｈ”を出力する。インバータ３０はこの信号を受けて“Ｌ”を出力する。
アラーム制御回路１７はこの立ち下がり信号を受けて動作し、アラーム回路１８を１０秒間動作させアラームを１０秒間鳴らす。図３のｔ５の領域はこの状態を表している。
アラームが鳴り終わるとアラーム制御回路１７が“Ｌ”となるためＴ−Ｆ／Ｆ２６にリセットがかかりＱ出力が“Ｌ”を出力、即ちモード判定回路２３は通常時刻モードになり、再び波形整形回路乙７は運針用信号を出力し始め、指針乙１０は再び指針甲６と同時刻を表示し続ける。
図３のｔ６の領域はこの状態を表している。
【０００９】
次にアラームをセットした後、アラーム機能をキャンセルする場合について説明する。
指針乙１０がアラーム機能の時刻を示している状態即ちＴ−Ｆ／Ｆ２６のＱ出力が“Ｈ”の状態のとき波形整形回路乙７は運針用パルスの作成を行わず指針乙１０は運針を行わない。図４のｔ１の領域はこの状態を表している。
この状態でスイッチ乙１９が操作されると、このスイッチ乙１９の立ち上がり信号でＤ−Ｆ／Ｆ２４がＴ−Ｆ／Ｆ２６のＱ出力の“Ｈ”を読み込みＱ出力が“Ｈ”になる。これを受けてオア２８が“Ｈ”を出力する。オア２８が“Ｈ”を出力すると波形整形回路乙７は早送り運針信号の出力を開始し、指針乙１０が早送りされ、同時にカウンタ乙１２がカウントアップされる。図４のｔ２の領域はこの状態を表している。
指針甲６と指針乙１０が一致即ちカウンタ甲１１とカウンタ乙１２が一致すると時刻一致検出回路２１が一致を検出して“Ｈ”を出力し、Ｄ−Ｆ／Ｆ２４にリセットをかけ、Ｄ−Ｆ／Ｆ２４のＱ出力は“Ｌ”になる。これを受けてオア２８の出力も“Ｌ”になり、この立ち下がり信号によってＴ−Ｆ／Ｆ２６のＱ出力は“Ｌ”になりモード判定回路２３は通常時刻モードになる。またＤ−Ｆ／Ｆ２４のＱ出力が“Ｌ”になるとアラーム制御回路１７はこの立ち下がり信号を受けて動作し、アラーム回路１８を１秒間動作させアラームを１秒間鳴らす。Ｔ−Ｆ／Ｆ２６のＱ出力が“Ｌ”になると波形整形回路乙７は通常の運針用信号出力を開始する。図４のｔ３の領域はこの状態を表している。
これでアラーム機能はキャンセルされ、指針乙１０は指針甲６の表示と一致したまま運針を行う。図４のｔ４の領域はこの状態を表している。
【００１０】
次にアラーム非セット状態時に、前回設定したアラーム時刻にセットする場合について説明する。
指針乙１０が時刻を示している状態即ちＴ−Ｆ／Ｆ２６のＱ出力が“Ｌ”の状態では波形整形回路乙７は１分ごとに運針用パルス出力を行い指針乙１０は指針甲６とともに１分運針を行う。図５のｔ１の領域はこの状態を表している。
この状態でスイッチ乙１９が操作されると、このスイッチ乙１９の立ち上がり信号でＤ−Ｆ／Ｆ２５がＴ−Ｆ／Ｆ２６のＱ出力の“Ｌ”をインバータ２９で反転した“Ｈ”を読み込みＱ出力が“Ｈ”になる。これを受けてオア２８が“Ｈ”を出力する。オア２８が“Ｈ”を出力すると波形整形回路乙７は早送り運針信号の出力を開始し、指針乙１０が早送りされ、同時にカウンタ乙１２がカウントアップされる。図５のｔ２の領域はこの状態を表している。
指針乙１０と前回アラーム設定時刻が一致即ちカウンタ乙１２とメモリー回路２０が一致するとアラーム時刻一致検出回路２２が一致を検出し、Ｄ−Ｆ／Ｆ２５にリセットをかけ、Ｄ−Ｆ／Ｆ２５のＱ出力は“Ｌ”になる。これを受けてオア２８の出力も“Ｌ”になり、この立ち下がり信号によってＴ−Ｆ／Ｆ２６のＱ出力は“Ｈ”になりモード判定回路２３はアラームモードになる。またＤ−Ｆ／Ｆ２５のＱ出力が“Ｌ”になるとアラーム制御回路１７はこの立ち下がり信号を受けて動作し、アラーム回路１８を２秒間動作させアラームを２秒間鳴らす。Ｔ−Ｆ／Ｆ２６のＱ出力が“Ｈ”になると波形整形回路乙７は通常の運針用信号出力を停止する。図５のｔ３の領域はこの状態を表している。
これでアラーム機能はリピートされ、指針乙１０はアラームセット時刻を表示したまま運針を停止する。図５のｔ４の領域はこの状態を表している。
【００１１】
【発明の効果】
上記のごとく本発明によれば、アラームセット状態においてアラーム機能をキャンセルしようとしたときスイッチを１度操作すればよく、通常のアラームセット用のスイッチを用いて、指針どうしを一致させる必要がなくなる。
また、毎日同じ時刻にアラームを鳴らしたいときにも同様にスイッチを１度操作すればよい。
また、音により操作内容が確認できる。
【図面の簡単な説明】
【図１】本発明の一実施例を示す電子時計の回路ブロック図である。
【図２】本発明の一実施例を示す電子時計のモード判定回路の構成図である。
【図３】本発明の一実施例を示す電子時計の回路タイムチャートである。
【図４】本発明の一実施例を示す電子時計の回路タイムチャートである。
【図５】本発明の一実施例を示す電子時計の回路タイムチャートである。
【図６】本発明の一実施例を示す電子時計の外観図である。
【図７】従来の複数の時刻表示手段を持つ電子時計の回路ブロック図である。
【図８】従来の複数の時刻表示手段を持つ電子時計の外観図である。
【図９】従来の複数の時刻表示手段を持つ電子時計の外観図である。
【符号の説明】
６  指針甲
１０  指針乙
１１  カウンタ甲
１２  カウンタ乙
１９  スイッチ乙
２０  メモリー回路
２１  時刻一致検出回路
２２  アラーム時刻一致検出回路
２３  モード判定回路
【図１】
0003742128.tif 000002
【図２】
0003742128.tif 000003
【図３】
0003742128.tif 000004
【図４】
0003742128.tif 000005
【図５】
0003742128.tif 000006
【図６】
0003742128.tif 000007
【図７】
0003742128.tif 000008
【図８】
0003742128.tif 000009
【図９】
0003742128.tif 000010